(57)【要約】【課題】両面スキャニングの時間と、片面スキャニングの時間とを約同等にする文書スキャニングコントローラ、文書スキャナー、文書スキャニングシステム及び文書スキャニング制御方法を提供する。【解決手段】文書スキャニングシステムは、第一画像センサと、第一アナログフロントエンドタイミングと、第二画像センサと、第二アナログフロントエンドタイミングと、スキャニングコントローラ及び画像バッファーを含む。文書スキャニングコントローラは、少なくとも二つ画像センサと同期化制御機構を統合した。同期化制御機構で各タイミングを同期化するようの制御と二重画像処理プロセッサによって、両面スキャニングを実施する時間は片面スキャニングを実施する時間と約同等にする。【選択図】図３Ａ
2010161758.tif 000002
【特許請求の範囲】
【請求項１】
文書スキャナーに設けられて、一ページが第一領域及び第二領域を含んで、少なくとも一ページを有する文書をスキャンするために用いられる文書スキャニングシステムであって、
第一画像センサタイミングで前記第一領域をスキャンすることで、第一アナログ画像信号を取得する第一画像センサと、
第二画像センサタイミングで前記第二領域をスキャンすることで、第二アナログ画像信号を取得する第二画像センサと、
第一アナログフロントエンドタイミングで前記第一アナログ画像信号を第一デジタル画像信号に変換して出力する第一アナログフロントエンドユニットと、
第二アナログフロントエンドタイミングで前記第二アナログ画像信号を第二デジタル画像信号に変換して出力する第二アナログフロントエンドユニットと、
第一画像処理タイミングで前記第一デジタル画像信号を処理して、第一領域資料を生成する第一画像処理プロセッサと、
第二画像処理タイミングで前記第二デジタル画像信号を処理して、第二領域資料を生成する第二画像処理プロセッサと、
第一画像センサと第二画像センサに、第一画像センサタイミングと第二画像センサタイミングを提供する少なくとも一つメイン画像センサタイミング発生器と、
前記第一アナログフロントエンドユニットが必要な第一アナログフロントエンドタイミングと前記第二アナログフロントエンドユニットが必要な第二アナログフロントエンドタイミングをそれぞれ制御するために用いられる少なくとも一つアナログフロントエンドタイミング制御器と、
前記第一領域資料及び前記第二領域資料を保存する画像バッファーと、
少なくとも一つモーター駆動タイミングを生成するモーター制御器と、
前記第一、第二画像処理タイミングと、第一、第二画像センサタイミングと、第一、第二アナログフロントエンドタイミングと、前記少なくとも一つモーター駆動タイミングとを同期化する同期化制御機構とを含むことを特徴とする文書スキャニングシステム。
【請求項２】
前記第一領域は、スキャニングされる文書の上表面であり、前記第二領域は、スキャニングされる文書の下表面であることを特徴とする前記請求項１記載の文書スキャニングシステム。
【請求項３】
前記第一画像センサと第二画像センサは、電荷結合素子または接触画像センサーであることを特徴とする前記請求項１記載の文書スキャニングシステム。
【請求項４】
前記同期化制御機構は、同期化信号を生成して前記第一アナログフロントエンドユニットと第二アナログフロントエンドユニットに提供することによって、間接に前記第一画像センサタイミングを生成して前記第一画像センサに提供し、前記第二画像センサタイミングを生成して前記第二画像センサに提供することを特徴とする前記請求項１記載の文書スキャニングシステム。
【請求項５】
前記同期化制御機構は、前記メイン画像センサタイミング発生器が直接または間接に生成される前記第一画像センサタイミング及び第二画像センサタイミングを同期化するように、または一つ固定のオフセット値を保持するように制御し、前記アナログフロントエンドタイミング制御器の第一アナログフロントエンドタイミング及び第二アナログフロントエンドタイミングを同期化するように、または一つ固定のオフセット値を保持するように制御し、前記第一画像処理プロセッサの第一画像処理タイミング及び前記第二画像処理プロセッサの第二画像処理タイミングを同期化するように、または一つ固定のオフセット値を保持するように制御し、前記モーター制御器が生成される各モーター駆動タイミングを同期化するように、または各モーター駆動タイミングの間に固定のオフセット値を保持するように制御することを特徴とする前記請求項１記載の文書スキャニングシステム。
【請求項６】
前記第一画像処理プロセッサ及び第二画像処理プロセッサは、マルチパイプラインアーキテクチャに構成され、並列に第一デジタル画像信号及び第二デジタル画像信号を処理して、前記第一領域資料及び第二領域資料生成することを特徴とする前記請求項１記載の文書スキャニングシステム。
【請求項７】
第一資料圧縮タイミングで前記第一画像処理プロセッサが生成される前記第一領域資料を圧縮して、第一領域圧縮資料を生成する第一資料圧縮ユニットと、第二資料圧縮タイミングで前記第二画像処理プロセッサが生成される前記第二領域資料を圧縮して、第二領域圧縮資料を生成する第二資料圧縮ユニットとをさらに含むことを特徴とする前記請求項５記載の文書スキャニングシステム。
【請求項８】
前記同期化制御機構は、前記第一資料圧縮ユニット及び第二資料圧縮ユニットを接続し、第一資料圧縮タイミング及び第二資料圧縮タイミングを同期化するように、または一つ固定のオフセット値を保持するように制御することを特徴とする前記請求項７記載の文書スキャニングシステム。
【請求項９】
前記画像バッファーは、前記第一領域圧縮資料及び前記第二領域圧縮資料を保存することを特徴とする前記請求項７記載の文書スキャニングシステム。
【請求項１０】
前記固定のオフセット値は、約少なくとも一つスキャニングラインであることを特徴する前記請求項５記載の文書スキャニングシステム。
【請求項１１】
前記各固定のオフセット値は一致することを特徴する前記請求項５記載の文書スキャニングシステム。
【請求項１２】
前記同期化制御機構は、前記第一画像処理プロセッサ、第二画像処理プロセッサ、アナログフロントエンドタイミング制御器、モーター制御器及びメイン画像センサタイミング発生器を接続することを特徴する前記請求項１記載の文書スキャニングシステム。
【請求項１３】
前記同期化制御機構は、一つ統合した同期化制御ユニットであり、または各ユニットにそれぞれ設置されることを特徴する前記請求項１記載の文書スキャニングシステム。
【請求項１４】
前記第一画像処理プロセッサと、第二画像処理プロセッサと、メイン画像センサタイミング発生器と、アナログフロントエンドタイミング制御器と、モーター制御器と、同期化制御機構とは統合された文書スキャニングコントローラであることを特徴する前記請求項１記載の文書スキャニングシステム。
【請求項１５】
前記文書スキャナーの少なくとも一セットのスキャニング機構を駆動する少なくとも一つモーターと、前記少なくとも一つモーターに対する少なくとも一つモーター駆動タイミングで前記少なくとも一つモーターを駆動する少なくとも一つモータードライバとをさらに含むことを特徴とする前記請求項１記載の文書スキャニングシステム。
【請求項１６】
一ページが第一領域及び第二領域を含んで、少なくとも一ページを有する文書をスキャンするために用いられる文書スキャナーであって、
第一画像センサタイミングで前記第一領域をスキャンすることで、第一アナログ画像信号を取得する第一画像センサと、
第二画像センサタイミングで前記第二領域をスキャンすることで、第二アナログ画像信号を取得する第二画像センサと、
第一アナログフロントエンドタイミングで前記第一アナログ画像信号を第一デジタル画像信号に変換して出力する第一アナログフロントエンドユニットと、
第二アナログフロントエンドタイミングで前記第二アナログ画像信号を第二デジタル画像信号に変換して出力する第二アナログフロントエンドユニットと、
第一画像処理タイミングで前記第一デジタル画像信号を処理して、第一領域資料を生成する第一画像処理プロセッサと、
第二画像処理タイミングで前記第二デジタル画像信号を処理して、第二領域資料を生成する第二画像処理プロセッサと、
第一画像センサと第二画像センサに、第一画像センサタイミングと第二画像センサタイミングを提供する少なくとも一つメイン画像センサタイミング発生器と、
前記第一アナログフロントエンドユニットが必要な第一アナログフロントエンドタイミングと前記第二アナログフロントエンドユニットが必要な第二アナログフロントエンドタイミングをそれぞれ制御するために用いられる少なくとも一つアナログフロントエンドタイミング制御器と、
前記第一領域資料及び前記第二領域資料を保存する画像バッファーと、
少なくとも一つモーター駆動タイミングを生成するモーター制御器と、
前記文書スキャナーの少なくとも一セットのスキャニング機構を駆動する少なくとも一つモーターと、
前記少なくとも一つモーターに対する少なくとも一つモーター駆動タイミングで前記少なくとも一つモーターを駆動する少なくとも一つモータードライバと、
前記第一、第二画像処理タイミングと、第一、第二画像センサタイミングと、第一、第二アナログフロントエンドタイミングと、前記少なくとも一つモーター駆動タイミングとを同期化する同期化制御機構とを含むことを特徴とする文書スキャナー。
【請求項１７】
前記メイン画像センサタイミング発生器は、同期化信号を生成して前記各アナログフロントエンドユニットに提供することによって、前記各アナログフロントエンドユニットに介して間接に前記第一画像センサタイミングを生成して前記第一画像センサに提供し、前記第二画像センサタイミングを生成して前記第二画像センサに提供することを特徴とする前記請求項１６記載の文書スキャナー。
【請求項１８】
前記同期化制御機構は、前記メイン画像センサタイミング発生器が直接または間接に生成される前記第一画像センサタイミング及び第二画像センサタイミングを同期化するように、または一つ固定のオフセット値を保持するように制御し、前記アナログフロントエンドタイミング制御器の第一アナログフロントエンドタイミング及び第二アナログフロントエンドタイミングを同期化するように、または一つ固定のオフセット値を保持するように制御し、前記第一画像処理プロセッサの第一画像処理タイミング及び前記第二画像処理プロセッサの第二画像処理タイミングを同期化するように、または一つ固定のオフセット値を保持するように制御し、前記モーター制御器が生成される各モーター駆動タイミングを同期化するように、または各モーター駆動タイミングの間に固定のオフセット値を保持するように制御することを特徴とする前記請求項１６記載の文書スキャナー。
【請求項１９】
文書スキャナーに適用され、一ページが第一領域及び第二領域を含んで、少なくとも一ページを有する文書をスキャンするために用いられる文書スキャニング制御方法であって、
第一画像センサを利用して、第一画像センサタイミングで前記第一領域をスキャンすることによって、第一アナログ画像信号を取得する同時に、第二画像センサを利用して、前記第一画像センサタイミングに同期化される第二画像センサタイミングで前記第二領域をスキャンすることによって、第二アナログ画像信号を取得するステップと、
第一アナログフロントエンドユニットを利用して、第一アナログフロントエンドタイミングで前記第一アナログ画像信号を第一デジタル画像信号に変換して出力する同時に、第二アナログフロントエンドユニットを利用して、前記第一アナログフロントエンドタイミングに同期化される第二アナログフロントエンドタイミングで前記第二アナログ画像信号を第二デジタル画像信号に変換して出力するステップと、
第一画像処理プロセッサを利用して、第一画像処理タイミングで前記第一デジタル画像信号を処理して、第一領域資料を生成する同時に、第二画像処理プロセッサを利用して、前記第一画像処理タイミングに同期化される第二画像処理タイミングで前記第二デジタル画像信号を処理して、第二領域資料を生成するステップとを含むことを特徴とする文書スキャニング制御方法。
【請求項２０】
前記第一画像処理プロセッサ及び第二画像処理プロセッサは、マルチパイプラインアーキテクチャに構成され、並列に第一デジタル画像信号及び第二デジタル画像信号を処理して、前記第一領域資料及び第二領域資料生成することを特徴とする前記請求項１９記載の文書スキャニング制御方法。
【請求項２１】
同期化制御機構で前記各タイミングを同期化するステップとを含むこと特徴とする前記請求項１９記載の文書スキャニング制御方法。
【請求項２２】
前記各タイミングを同期化するステップはさらに、前記第一画像センサタイミング及び第二画像センサタイミングを同期化するように、または一つ固定のオフセット値を保持するように制御し、前記第一アナログフロントエンドタイミング及び第二アナログフロントエンドタイミングを同期化するように、または一つ固定のオフセット値を保持するように制御し、前記第一画像処理タイミング及び前記第二画像処理プロセッサの第二画像処理タイミングを同期化するように、または一つ固定のオフセット値を保持するように制御し、前記少なくとも一つモーター駆動タイミングを同期化するように、または各モーター駆動タイミングの間に固定のオフセット値を保持するように制御するステップとを含むこと特徴とする前記請求項２１記載の文書スキャニング制御方法。
【請求項２３】
第一資料圧縮タイミングで前記前記第一領域資料を圧縮して、第一領域圧縮資料を生成するステップと、第二資料圧縮タイミングで前記第二領域資料を圧縮して、第二領域圧縮資料を生成するステップとをさらに含むこと特徴とする前記請求項２２記載の文書スキャニング制御方法。
【請求項２４】
前記第一資料圧縮タイミング及び第二資料圧縮タイミングを同期化するように、または一つ固定のオフセット値を保持するように制御するステップとをさらに含むこと特徴とする前記請求項２３記載の文書スキャニング制御方法。
【請求項２５】
画像バッファーに前記第一領域圧縮資料及び第二領域圧縮資料を保存するステップとをさらに含むこと特徴とする前記請求項２３記載の文書スキャニング制御方法。
【請求項２６】
各モーターを駆動することに必要な各モーター駆動タイミングを同期化するように、または各モーター駆動タイミングの間に固定のオフセット値を保持するように制御するステップとをさらに含むこと特徴とする前記請求項２２記載の文書スキャニング制御方法。
【請求項２７】
前記各タイミングを同期化することによって、前記第一領域及び第二領域をスキャンする第一スキャニング時間と、前記第一領域のみをスキャンする第二スキャニング時間と、前記第二領域のみをスキャンする第三スキャニング時間とを約同等にすること特徴とする前記請求項２２記載の文書スキャニング制御方法。
【請求項２８】
文書スキャナーに適用され、一ページが第一領域及び第二領域を含んで、少なくとも一ページを有する文書をスキャンするために用いられる文書スキャニング制御方法であって、
同期化制御機構で各タイミングを制御するステップと、
第一画像センサを利用して、第一画像センサタイミングで前記第一領域をスキャンすることによって、第一アナログ画像信号を取得する同時に、第二画像センサを利用して、前記第一画像センサタイミングに同期化される第二画像センサタイミングで前記第二領域をスキャンすることによって、第二アナログ画像信号を取得して、前記第一領域及び第二領域をスキャンする第一スキャニング時間と、前記第一領域のみをスキャンする第二スキャニング時間と、前記第二領域のみをスキャンする第三スキャニング時間とを約同等にするステップと、
第一アナログフロントエンドユニットを利用して、第一アナログフロントエンドタイミングで前記第一アナログ画像信号を第一デジタル画像信号に変換して出力する同時に、第二アナログフロントエンドユニットを利用して、第二アナログフロントエンドタイミングで前記第二アナログ画像信号を第二デジタル画像信号に変換して出力するステップと、
第一画像処理プロセッサを利用して、第一画像処理タイミングで前記第一デジタル画像信号を処理して、第一領域資料を生成する同時に、第二画像処理プロセッサを利用して、第二画像処理タイミングで前記第二デジタル画像信号を処理して、第二領域資料を生成するステップとを含むことを特徴とする文書スキャニング制御方法。
【発明の詳細な説明】
【技術分野】
【０００１】
本発明は文書スキャニングコントローラ、文書スキャナー、文書スキャニングシステム及び文書スキャニング制御方法に関し、特に選択的に片面スキャニングまたは両面スキャニングを実施できる文書スキャニングコントローラ、文書スキャナー、文書スキャニングシステム及び文書スキャニング制御方法に関する。  
【背景技術】
【０００２】
現在、普通の資料スキャナーは二種類、すなわち片面スキャニング（simplex  scanning）アーキテクチャまたは両面スキャニング（duplex  scanning）アーキテクチャである。図１Ａに示すように、片面スキャニングアーキテクチャを有する資料画像センサスキャナ１である。メインに単一の電荷結合素子（Charge  Couple
Device, CCD）または接触画像センサー（Contact  Image Sensor, CIS）等の画像センサ２、単一のアナログフロントエンドユニット（Analog
Front End, AFE）４及び単一の画像処理エンジン１０を含むスキャニングコントローラ６を利用して、片面の資料をスキャンする。資料スキャナ１が文書をスキャンするプロセス中、CCD/CIS画像センサ２は、文書がスキャニングされるアナログ画像信号（Analog
video signal）を取得する。アナログフロントエンドユニット４は、前記CCD/CIS画像センサ２から生成されるアナログ画像信号をデジタル画像信号に変換して、スキャニングコントローラ６に提供して処理する。しかしながら、こいう資料スキャナ１のスキャニングコントローラ６は単一の画像処理エンジン１０のみを含むので、両面スキャニングに応用される場合に、二つスキャニングコントローラ６が必要になって、両面スキャニングが可能になる。なお、多くの資料スキャナ１のスキャニングコントローラ６は、さらに資料圧縮ユニット１２と、CCD/CISタイミング発生器１４を含んで、画像処理エンジン１０を協力する。画像処理エンジン１０は、処理された画像資料を圧縮（compression）して、圧縮された画像資料を画像バッファー８に保存する。CCD/CISタイミング発生器１４は、前記CCD/CIS画像センサ２が必要な操作タイミングを生成して制御する。
【０００３】
次に図２Ａに示すように、両面スキャニングアーキテクチャを有する資料スキャナ２０であり、メインに第一、第二CCD/CIS画像センサ２２、２６、第一、第アナログフロントエンドユニット２４，２８及び両面の資料をスキャンする単一の画像処理エンジン３２を含むスキャニングコントローラ２９を利用する。第一、第アナログフロントエンドユニット２４，２８は、第一、第二CCD/CIS画像センサ２２、２６がスキャニングされるアナログ画像信号をデジタル画像信号変換して出力する。スキャニングコントローラ２９は単一の画像処理エンジン３２のみを含むので、第一、第アナログフロントエンドユニット２４，２８から出力される二つデジタル画像信号を画像処理エンジン３２に転送される二対一のマルチプレクサ３０が必要である。他の適用例中、マルチプレクサ３０は画像処理エンジン３２内に設けられて、適当な時間で並列処理してもよい。且つ、第一、第二CCD/CIS画像センサ２２、２６の操作タイミングは、CCD/CIS画像センサタイミング発生器が生成して制御することで、両面スキャニングが可能になる（図２Ａに示す）。他のエレメント，例え資料圧縮ユニット３４及び画像バッファー３６は、図１Ａに示す資料スキャナ１のものと似るので、ここで重複の説明を省略する。
【０００４】
しかしながら、同一解像度で同一文書を両面スキャンする場合に、こいう資料スキャナ２０は、上表面（Top side）と下表面（bottom side）を交互にスキャニングしなければいけないので、両面スキャニングの時間は、図１Ａに示す資料画像センサスキャナ１が片面（上表面または下表面）をスキャンする時間の二倍であり、または資料画像センサスキャナ１が順次的に両面をスキャンする時間である。例えば、図１Ｂに示す片面スキャニングアーキテクチャを有する資料画像センサスキャナ１の両面スキャニングタイミング図のように、上表面が解像度600dpiのスキャニング時間はT1であり、下表面が解像度600dpiのスキャニング時間はT2である。図２Ｂに示す両面スキャニングアーキテクチャを有する資料スキャナ２０の両面スキャニングタイミング図のように、両面も解像度600dpiのスキャニング時間はT3である。T3=T1+T2である。従来技術の資料スキャナ２０によって、使用やは両面スキャンする場合に、スキャニング時間は長いし、操作はとても不便だった。
【発明の概要】
【発明が解決しようとする課題】
【０００５】
本発明は前述の従来の問題を解決するため、両面スキャニングの速度を上げて、操作を便利し、両面スキャニングの時間と、片面スキャニングの時間とを約同等にする文書スキャニングコントローラ、文書スキャナー、文書スキャニングシステム及び文書スキャニング制御方法を提供することを課題とする。
また、本発明は統合した二重画像処理プロセッサを用いる文書スキャニングコントローラ、文書スキャナー、文書スキャニングシステム及び文書スキャニング制御方法を提供し、効率を上げることを課題とする。
【課題を解決するための手段】
【０００６】
そこで、本発明者は従来の技術に見られる欠点に鑑みて鋭意研究を重ねた結果、下記の装置によって、本発明の課題が解決される点に着眼し、かかる知見に基づき本発明を完成させた。
【０００７】
以下、本発明について具体的に説明する。
本発明の目的は、文書スキャニングコントローラ、文書スキャナー、文書スキャニングシステムを提供することである。前記文書スキャニングシステムは、文書スキャナーに設けられて、同時に文書の第一領域及び第二領域をスキャンすることができる。前記文書スキャニングシステムは、第一画像センサと、第一アナログフロントエンドタイミングと、第二画像センサと、第二アナログフロントエンドタイミングと、スキャニングコントローラ及び画像バッファーを含む。第一画像センサは、第一画像センサタイミングで前記文書の第一領域をスキャンすることで、第一アナログ画像信号を取得する。第二画像センサは、第二画像センサタイミングで前記文書の第二領域をスキャンすることで、第二アナログ画像信号を取得する。第一アナログフロントエンドユニットは、第一アナログフロントエンドタイミングで前記第一アナログ画像信号を第一デジタル画像信号に変換して出力する。第二アナログフロントエンドユニットは、第二アナログフロントエンドタイミングで前記第二アナログ画像信号を第二デジタル画像信号に変換して出力する。
【０００８】
前記スキャニングコントローラは、第一画像処理プロセッサと、第二画像処理プロセッサと、メイン画像センサタイミング発生器と、アナログフロントエンドタイミング制御器と、少なくとも一つモーター制御器と、同期化制御機構と、第一資料圧縮ユニットと、第二資料圧縮ユニットとを統合した。前記第一画像処理プロセッサは、第一画像処理タイミングで前記第一アナログフロントエンドユニットから出力される第一デジタル画像信号を処理して、第一領域資料を生成する。前記第二画像処理プロセッサは、第二画像処理タイミングで前記第二アナログフロントエンドユニットから出力される第二デジタル画像信号を処理して、第二領域資料を生成する。
【０００９】
本発明の第一実施例に基づく、前記メイン画像センサタイミング発生器は、前記第一画像センサと第二画像センサに、第一画像センサタイミングと第二画像センサタイミングをそれぞれ提供する。
【００１０】
本発明の第二実施例に基づく、前記第一アナログフロントエンドユニットと第二アナログフロントエンドユニットにそれぞれ第一画像センサタイミング発生器と第二画像センサタイミング発生器を設けられ、前記第一画像センサと第二画像センサに、第一画像センサタイミングと第二画像センサタイミングをそれぞれ提供する。その場合に、スキャニングコントローラのメイン画像センサタイミング発生器は、スキャニングラインの同期化信号を生成し、前記第一アナログフロントエンドユニットの第一画像センサタイミング発生器と第二アナログフロントエンドユニットの第二画像センサタイミング発生器に提供することによって、間接に前記第一画像センサタイミングと前記第二画像センサタイミングを生成する。他の実施例に、メイン画像センサタイミング発生器は、前記第一、第二アナログフロントエンドユニットの第一、第二画像センサタイミング発生器に操作クロックを提供する。
【００１１】
本発明の各実施例に、前記アナログフロントエンドタイミング制御器は、第一アナログフロントエンドユニットが必要な第一アナログフロントエンドタイミングと第一アナログフロントエンドユニットが必要な第一アナログフロントエンドタイミングをそれぞれ制御する。
【００１２】
前記同期化制御機構は、前記各画像センサタイミング発生器が直接または間接に生成される前記第一画像センサタイミング及び第二画像センサタイミングを同期化するように制御し、前記アナログフロントエンドタイミング制御器の第一アナログフロントエンドタイミング及び第二アナログフロントエンドタイミングを同期化するように制御し、前記第一画像処理プロセッサの第一画像処理タイミング及び前記第二画像処理プロセッサの第二画像処理タイミングを同期化するように制御する。前記同期化制御機構で各タイミングを同期化するようの制御と二重画像処理プロセッサによって、本発明で両面スキャニングの時間と、片面スキャニングの時間とを約同等にする。前記同期化制御機構は、一つ統合した同期化制御ユニットであっても好ましく、各ユニットにそれぞれ設置されても好ましい。
【００１３】
本発明の第三実施例に基づく、前記同期化制御機構は、前記メイン画像センサタイミング発生器が生成される前記第一画像センサタイミング及び第二画像センサタイミングを一つ固定のオフセット値を保持するように制御し、前記アナログフロントエンドタイミング制御器の第一アナログフロントエンドタイミング及び第二アナログフロントエンドタイミングを一つ固定のオフセット値を保持するように制御し、前記第一画像処理プロセッサの第一画像処理タイミング及び前記第二画像処理プロセッサの第二画像処理タイミングを一つ固定のオフセット値を保持するように制御する。前記各固定のオフセット値は一致して、且つ本発明によって、両面スキャニングの時間と、片面スキャニングの時間とを約同等にする。
【００１４】
なお、本発明はまた、文書スキャナーに適用され、第一領域及び第二領域を含む文書をスキャンするために用いられる文書スキャニング制御方法を提供する。文書スキャニング制御方法は、下記のステップとを含む：
同期化制御機構で各タイミングを制御するステップと、
第一画像センサを利用して、第一画像センサタイミングで前記文書の第一領域をスキャンすることによって、第一アナログ画像信号を取得する同時に、第二画像センサを利用して、第二画像センサタイミングで前記文書の第二領域をスキャンすることによって、第二アナログ画像信号を取得し、前記第一画像センサタイミングと第二画像センサタイミングは同期化され、または一つ固定のオフセット値を保持する文書のステップと、
第一アナログフロントエンドユニットを利用して、第一アナログフロントエンドタイミングで前記第一アナログ画像信号を第一デジタル画像信号に変換して出力する同時に、第二アナログフロントエンドユニットを利用して、第二アナログフロントエンドタイミングで前記第二アナログ画像信号を第二デジタル画像信号に変換して出力し、前記第一アナログフロントエンドタイミングと第二アナログフロントエンドタイミングは同期化され、または一つ固定のオフセット値を保持するステップと、
第一画像処理プロセッサを利用して、第一画像処理タイミングで前記第一デジタル画像信号を処理して、第一領域資料を生成する同時に、第二画像処理プロセッサを利用して、第二画像処理タイミングで前記第二デジタル画像信号を処理して、第二領域資料を生成し、前記第一画像処理タイミングと第二画像処理タイミングは同期化され、または一つ固定のオフセット値を保持するステップとを含む。
【発明の効果】
【００１５】
本発明により、同時に前記第一領域及び第二領域をスキャンするスキャニング時間と、第一領域のみまたは第二領域のみをスキャンするスキャニング時間とを約同等にすることができる。
【図面の簡単な説明】
【００１６】
【図１Ａ】従来技術の片面スキャング構成を有する文書スキャンナーの簡単構成図である。
【図１Ｂ】図１Ａに示す従来技術の文書スキャンナーが二回片面スキャングを実施するタイミング図である。
【図２Ａ】従来技術の両面スキャング構成を有する文書スキャンナーの簡単構成図である。
【図２Ｂ】図２Ａに示す従来技術の文書スキャンナーが一回両面スキャングを実施するタイミング図である。
【図３Ａ】本発明の第一実施例による文書スキャニングシステムの簡単構成図である。
【図３Ｂ】本発明の第二実施例による文書スキャニングシステムの簡単構成図である。
【図４】図３Ａ、図３Ｂに示す本発明の文書スキャンナーが一回両面スキャングを実施するタイミング図である。
【図５】本発明の文書スキャニング制御方法のフローチャートである。
【発明を実施するための形態】
【００１７】
本発明前記の目的をもっと容易に分かるように、好もしい実施例を挙げて、下記のように図面と配合して具体的に説明する。
図３Ａを参照したら、図３Ａは、本発明の第一実施例による文書スキャニングシステム６０である。文書スキャンナーに設けられて、同時に文書の上表面と下表面（第一領域と第二領域）、または文書の片面をスキャンすることができる。前記文書スキャンナーの一セッまたは多セットのスキャニング機構８８は、スキャニング機構８８に応じて、駆動されるためにと用いられる文書スキャニングシステム６０の一個または多個モーター９０を接続する。一個または多個モータードライバ９２により、応じてモーター駆動タイミングで、対応されるモーター９０を駆動する。
【００１８】
文書スキャニングシステム６０は、第一画像センサ６２、第一アナログフロントエンドユニット６４、第二画像センサ６６、第二アナログフロントエンドユニット６８、スキャニングコントローラ７０及び画像バッファー８６を含む。第一画像センサ６２と第二画像センサ６６は、電荷結合素子（Charge  Couple Device, CCD）または接触画像センサー（Contact  Image Sensor, CIS）である。なお、第一画像センサ６２は、第一画像センサタイミングで文書の上表面を光学スキャンすることで、第一アナログ画像信号を取得する。第二画像センサ６６は、第二画像センサタイミングで文書の下表面を光学スキャンすることで、第二アナログ画像信号を取得する。
【００１９】
第一アナログフロントエンドユニット（Analog
Front End, AFE）６４は、第一画像センサ６２に接続され、第一アナログフロントエンドタイミングで第一アナログ画像信号を第一デジタル画像信号に変換して出力する。第二アナログフロントエンドユニット（Analog
Front End, AFE）６８は、第二画像センサ６６を接続し、第二アナログフロントエンドタイミングで第二アナログ画像信号を第二デジタル画像信号に変換して出力する。
【００２０】
本発明の第一実施例に、文書スキャニングコントローラ７０は第一画像処理プロセッサ７２と、第二画像処理プロセッサ７４と、メイン画像センサタイミング発生器７６と、アナログフロントエンドタイミング制御器７７と、少なくとも一つモーター制御器７８と、同期化制御機構８０を統合した制御チップである。同期化制御機構８０は、一つ統合した同期化制御ユニットであってもよい、または前記各ユニットにそれぞれ設置されてもよい。
【００２１】
第一画像処理プロセッサ７２は、前記第一アナログフロントエンドユニット６４を接続し、特に第一画像処理タイミングで前記第一アナログフロントエンドユニット６４の第一デジタル画像信号を処理して、第一領域資料を生成する。第二画像処理プロセッサ７４は、前記第二アナログフロントエンドユニット６８を接続し、特に第二画像処理タイミングで前記第二アナログフロントエンドユニット６８の第二デジタル画像信号を処理して、第二領域資料を生成する。第一画像処理プロセッサ７２と第二画像処理プロセッサ７４は、画像処理の二重処理プロセッサ（処理エンジン）であり、且つマルチパイプラインアーキテクチャに構成され、並列に第一デジタル画像信号及び第二デジタル画像信号を処理して、前記第一領域資料及び第二領域資料生成する。しかしながら、前記マルチパイプラインアーキテクチャは本発明の限制ではない。なんかアーキテクチャによる並列処理でもよい。前記第一画像処理タイミングと第二画像処理タイミングは、同様なタイミング信号でもよい、または異なるタイミング信号でもよい。
【００２２】
本実施例の文書スキャニングコントローラ７０中、第一資料圧縮ユニット８２の輸入端は、第一画像処理プロセッサ７２を接続し、第一資料圧縮タイミングで第一画像処理プロセッサ７２の第一領域資料を圧縮して、第一領域圧縮資料を生成する。第二資料圧縮ユニット８４の輸入端は、第二画像処理プロセッサ７４を接続し、第二資料圧縮タイミングで第一画像処理プロセッサ７２の第二領域資料を圧縮して、第二領域圧縮資料を生成する。また、第一資料圧縮ユニット８２と第二資料圧縮ユニット８４から出力される第一領域圧縮資料と第二領域圧縮資料が画像バッファー８６に保存される。しかしながら、他の実施例中、文書スキャニングコントローラ７０は第一、第二資料圧縮ユニット８２、８４を有しなくて、第一、第二画像処理プロセッサ７２、７４が直接に第一、第二領域圧縮資料を画像バッファー８６に保存することもよい、また、画像バッファー８６は文書スキャニングコントローラ７０に設けられてもよい。
【００２３】
メイン画像センサタイミング発生器７６は、第一画像センサ６２と第二画像センサ６６にそれぞれ接続され、第一画像センサタイミングを第一画像センサ６２に提供するとともに、第二画像センサタイミングを前記第二画像センサ６６に提供する。前記第一画像センサタイミングと第二画像センサタイミングは、同様なタイミング信号でもよい、または異なるタイミング信号でもよい。アナログフロントエンドタイミング制御器７７は、第一アナログフロントエンドユニット６４と第二アナログフロントエンドユニット６８にそれぞれ接続され、第一アナログフロントエンドユニット６４が必要な第一アナログフロントエンドタイミング及び第二アナログフロントエンドユニット６８が必要な第二アナログフロントエンドタイミングをそれぞれ提供して制御する。前記第一アナログフロントエンドタイミングと第二アナログフロントエンドタイミングは、同様なタイミング信号でもよい、または異なるタイミング信号でもよい。少なくとも一つモーター制御器７８は、各モータードライバ９２に応じてモーター駆動タイミングを提供する。説明必要なことでは、本実施例中、各種類のタイミングは、操作クロックであり、または固定周期の信号である。
【００２４】
本実施例中、同期化制御機構８０は、メイン画像センサタイミング発生器７６を接続し、メイン画像センサタイミング発生器７６から出力される第一画像センサタイミング及び第二画像センサタイミングを同期化（sychronization）するように制御する。なお、同期化制御機構８０は、第一画像処理プロセッサ７２と第二画像処理プロセッサ７４を接続し、第一画像処理プロセッサ７２の第一画像処理タイミング及び第二画像処理プロセッサ７４の第二画像処理タイミングを同期化するように制御する。なお、同期化制御機構８０は、第一資料圧縮ユニット８２と第二資料圧縮ユニット８４を接続し、第一資料圧縮タイミング及び第二資料圧縮タイミングを同期化する。なお、同期化制御機構８０は、モーター制御器７８を接続し、モーター制御器７８の各モーター駆動タイミングを同期化することもよって、前記多個モーター９０の駆動をを同期化する。
【００２５】
図４に示す各スキャニングタイミングのように、本発明の同期化制御機構８０（例えば同期化制御ユニット）ので各タイミングを同期化するようの制御と二重画像処理プロセッサ７２，７４によって、本発明の文書スキャニングシステム６０の第一画像センサ６２と第二画像センサ６６が同時に文書の両面をスキャンする第一スキャニング時間Ｔｄは、第一画像センサが文書の上表面のみをスキャンする第二スキャニング時間Ｔｔまたは第二画像センサが文書の下表面のみをスキャンする第三スキャニング時間Ｔｂを約同等にする。すなわちＴｄ≒Ｔｔ≒Ｔｂ。他の実施例中、第一画像センサ６２と第二画像センサ６６は、文書の上、下表面をスキャンする時、両者の位置は違う場合に、ＴｄはＴｔまたはＴｂより大きくなる。
【００２６】
また、図３Ｂに示す本発明の第二実施例において、前述第一実施例と違うところは、第二実施例の文書スキャニングシステム６０の第一アナログフロントエンドユニット６４及び第二アナログフロントエンドユニット６８は、それぞれ第一画像センサタイミング発生器６４２に設けられ、第一画像センサ６２に第一画像センサタイミングを提供し、第二画像センサタイミング発生器６８２に設けられ、第二画像センサ６６に第二画像センサタイミングを提供する。且つ、文書スキャニングコントローラ７０内のメイン画像センサタイミング発生器７６は前記第一、第二アナログフロントエンドユニット６４、６８に同期化信号のみを提供する。この同期化信号基づいて、第一画像センサタイミング発生器６４２は、第一画像センサタイミングを生成して第一画像センサ６２に提供する。第二画像センサタイミング発生器６８２は、第二画像センサタイミングを生成して第二画像センサ６６に提供する。間接に前記第一、第二アナログフロントエンドユニット６４、６８の第一、第二アナログフロントエンドタイミングを同期化する。他の適用例中、メイン画像センサタイミング発生器７６は、第一、第二アナログフロントエンドユニット６４、６８内の第一、第二画像センサタイミング発生器６４２、６８２に操作クロックを提供する。第二実施例の他のユニットは、第一実施例と同様なので、ここで重複の説明を省略する。
【００２７】
本発明の第三実施例において、前述第一実施例と違うところは、同期化制御機構８０は、各画像センサタイミング発生器７６（または６４２、６８２）から出力される第一画像センサタイミング及び第二画像センサタイミングを周波数が違い、且つ一つ固定のオフセット値を保持するように制御し、アナログフロントエンドタイミング制御器７７から出力される第一アナログフロントエンドタイミング及び第二アナログフロントエンドタイミングを周波数が違い、且つ一つ固定のオフセット値を保持するように制御し、第一画像処理タイミング及び第二画像処理タイミングを周波数が違い、且つ一つ固定のオフセット値を保持するように制御する。前記固定のオフセット値は約少なくとも一つスキャニングラインである。なお、同期化制御機構８０は、各モーター駆動タイミングを周波数が違い、且つ各モーター駆動タイミングの間に固定のオフセット値を保持するように制御することによって、少なくとも一つモーター９０を同期化するように駆動する。特に説明が必要なことでは、前記各固定のオフセット値は一致することができる。本発明の第三実施例によって、図４に示す各スキャニングタイミングを達成することもできる。すなわち、第一画像センサ６２と第二画像センサ６６が同時に文書の両面をスキャンする第一スキャニング時間Ｔｄは、第一画像センサが文書の上表面のみをスキャンする第二スキャニング時間Ｔｔまたは第二画像センサが文書の下表面のみをスキャンする第三スキャニング時間Ｔｂを約同等にする。すなわちＴｄ≒Ｔｔ≒Ｔｂ。他の実施例中、第一画像センサ６２と第二画像センサ６６は、文書の上、下表面をスキャンする時、両者の位置は違う場合に、ＴｄはＴｔまたはＴｂより大きくなる。
【００２８】
なお、図５に参照したら、図５は本発明の文書スキャニング制御方法のフローチャートである。図３Ａと図３Ｂの文書スキャニングシステムの各ユニットを一緒に参照する。この方法は、文書スキャナーに適用され、一ページが第一領域及び第二領域を含む文書をスキャンするために用いられる。
【００２９】
ステップ７６０：文書スキャニングを起動する。
【００３０】
ステップ７６５：同期化制御機構で各タイミングを制御する。このステップはさらに下記のステップを含む。
（１）ステップ７７０：同期化制御機構で一個または数個モーター制御器に応じるモーターを駆動する必要な各モーター駆動タイミングを制御する。
（２）ステップ７７２：同期化制御機構で第一画像センサタイミング及び第二画像センサタイミングを制御する。
（３）ステップ７７４：第一アナログフロントエンドタイミング及び第二アナログフロントエンドタイミングを制御する。
（４）ステップ７７６：第一画像処理タイミング及び第二画像処理タイミングを制御する。
（５）ステップ７７８：第一資料圧縮タイミング及び第二資料圧縮タイミングを制御する。
【００３１】
ステップ７８０：一個または数個モーター制御器のモーター駆動タイミングで応じるモーターを駆動する。同期化制御機構で一個または数個のモーター駆動タイミングを同期化するように、または前記各モーター駆動タイミングの間に約少なくとも一つスキャニングラインである固定のオフセット値を保持するように制御する。
ステップ８００：第一画像センサを利用して、第一画像センサタイミングで第一領域をスキャンすることによって、第一アナログ画像信号を取得する同時に、ステップ８０２：第二画像センサを利用して、第二画像センサタイミングで前記第二領域をスキャンすることによって、第二アナログ画像信号を取得し、第一画像センサタイミング及び第二画像センサタイミングは同期化され、または約少なくとも一つスキャニングラインである一つ固定のオフセット値が保持される。
【００３２】
ステップ８０６：第一アナログフロントエンドユニットを利用して、第一アナログフロントエンドタイミングで第一アナログ画像信号を第一デジタル画像信号に変換して出力する同時に、ステップ８０８：第二アナログフロントエンドユニットを利用して、第二アナログフロントエンドタイミングで第二アナログ画像信号を第二デジタル画像信号に変換して出力し、第一アナログフロントエンドタイミング及び第二アナログフロントエンドタイミングは同期化され、または約少なくとも一つスキャニングラインである一つ固定のオフセット値が保持される。
【００３３】
ステップ８１２：第一画像処理プロセッサを利用して、第一画像処理タイミングで前記第一デジタル画像信号を処理して、第一領域資料を生成する同時に、ステップ８１４：第二画像処理プロセッサを利用して、第二画像処理タイミングで前記第二デジタル画像信号を処理して、第二領域資料を生成し、第一画像処理タイミング及び第二画像処理タイミングは同期化され、または約少なくとも一つスキャニングラインである一つ固定のオフセット値が保持される。
【００３４】
ステップ８１８：第一資料圧縮ユニットを利用して、第一資料圧縮タイミングで第一領域資料を圧縮して、第一領域圧縮資料を生成する同時に、ステップ８２０：第二資料圧縮ユニットを利用して、第二資料圧縮タイミングで第二領域資料を圧縮して、第二領域圧縮資料を生成し、第一資料圧縮タイミング及び第二資料圧縮タイミングは同期化され、または約少なくとも一つスキャニングラインである一つ固定のオフセット値が保持される。
【００３５】
ステップ８２４：第一領域圧縮資料と第二領域圧縮資料が画像バッファーに保存される。
【００３６】
ステップ８２６：（図４に示すように）第一画像センサと第二画像センサが同時に文書の両面をスキャンする第一スキャニング時間Ｔｄは、第一画像センサが文書の上表面のみをスキャンする第二スキャニング時間Ｔｔまたは第二画像センサが文書の下表面のみをスキャンする第三スキャニング時間Ｔｂを約同等にする。すなわちＴｄ≒Ｔｔ≒Ｔｂ。他の実施例中、第一画像センサ６２と第二画像センサ６６は、それぞれ文書の一ページの上、下表面をスキャンする時、両者の位置は違う場合に、ＴｄはＴｔまたはＴｂより大きくなる可能性がある。
【００３７】
前述のように、本発明の文書スキャニングシステム及びその制御方法によって、両面スキャニングの速度を上げることができる。なお、システムの操作がもっと便利になる。両面スキャニングの時間と片面スキャニングの時間とは約同等にする。また、本発明は統合した二重画像処理プロセッサを用いるため、コスト効率を上げることができる。
【００３８】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【符号の説明】
【００３９】
６０    文書スキャニングシステム
６２    第一画像センサ
６４    第一アナログフロントエンドユニット
６６    第二画像センサ
６８    第二アナログフロントエンドユニット
７０    スキャニングコントローラ
７２    第一画像処理プロセッサ
７４    第二画像処理プロセッサ
７６    メイン画像センサタイミング発生器
７７    アナログフロントエンドタイミング制御器
７８    モーター制御器
８０    同期化制御機構
８２    第一資料圧縮ユニット
８４    第二資料圧縮ユニット
８６    画像バッファー
８８    スキャニング機構
９０    モーター
９２    モータードライバ
６４２  第一画像センサタイミング発生器
６４８  第二画像センサタイミング発生器
Ｔｄ      両面スキャニング時間
Ｔｔ    上表面スキャニング時間
Ｔｂ    下表面スキャニング時間
【図１Ａ】
2010161758.tif 000003
【図１Ｂ】
2010161758.tif 000004
【図２Ａ】
2010161758.tif 000005
【図２Ｂ】
2010161758.tif 000006
【図３Ａ】
2010161758.tif 000007
【図３Ｂ】
2010161758.tif 000008
【図４】
2010161758.tif 000009
【図５】
2010161758.tif 000010
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
文書スキャナー内に設けられ、スキャニングされる文書の表面からなる第一領域及び当該文書の裏面からなる第二領域を有する文書の両面をスキャンするために用いられる文書スキャニングシステムであって、
第一画像センサタイミングで前記第一領域をスキャンすることで、第一アナログ画像信号を取得する第一画像センサと、
第二画像センサタイミングで前記第二領域をスキャンすることで、第二アナログ画像信号を取得する第二画像センサと、
第一アナログフロントエンドタイミングで前記第一アナログ画像信号を第一デジタル画像信号に変換して出力する第一アナログフロントエンドユニットと、
第二アナログフロントエンドタイミングで前記第二アナログ画像信号を第二デジタル画像信号に変換して出力する第二アナログフロントエンドユニットと、
第一画像処理タイミングで前記第一デジタル画像信号を処理して、第一領域資料画像を生成する第一画像処理プロセッサと、
第二画像処理タイミングで前記第二デジタル画像信号を処理して、第二領域資料画像を生成する第二画像処理プロセッサと、
前記第一画像センサに前記第一領域をスキャンさせる第一画像センサタイミングと、前記第二画像センサに、前記第二領域をスキャンさせる第二画像センサタイミングとを提供するメイン画像センサタイミング発生器と、
前記第一アナログフロントエンドユニットに前記第一アナログ画像信号を第一デジタル画像信号に変換して出力させる第一アナログフロントエンドタイミングと、前記第二アナログフロントエンドユニットに前記第二アナログ画像信号を第二デジタル画像信号に変換して出力させる第二アナログフロントエンドタイミングとをそれぞれ制御するために用いられるアナログフロントエンドタイミング制御器と、
前記第一領域資料画像及び前記第二領域資料画像を保存する画像バッファーと、
前記文書の両面をスキャンするためのスキャニング機構を駆動するモーターのモーター駆動タイミングを生成するモーター制御器と、
前記文書の両面をスキャンするためのスキャニング機構を駆動するモーターのモーター駆動タイミングの同期化、前記第一画像センサタイミング及び第二画像センサタイミングの同期化、前記第一アナログフロントエンドタイミング及び第二アナログフロントエンドタイミングの同期化、及び、前記第一画像処理タイミング及び第二画像処理タイミングの同期化を含む各タイミングを同期化する同期化制御機構とを含むことを特徴とする文書スキャニングシステム。
【請求項２】
前記第一画像センサと第二画像センサは、電荷結合素子または接触画像センサーであることを特徴とする前記請求項１記載の文書スキャニングシステム。
【請求項３】
前記同期化制御機構は、同期化信号を生成し、前記第一アナログフロントエンドユニットと第二アナログフロントエンドユニットに当該同期化信号を提供し、
前記第一アナログフロントエンドユニットは、提供された同期化信号に基づいて前記第一画像センサタイミングを生成して前記第一画像センサに提供し、
前記第二アナログフロントエンドユニットは、提供された同期化信号に基づいて前記第二画像センサタイミングを生成して前記第二画像センサに提供することを特徴とする前記請求項１記載の文書スキャニングシステム。
【請求項４】
前記第一画像処理プロセッサ及び第二画像処理プロセッサは、マルチパイプラインアーキテクチャに構成され、並列に第一デジタル画像信号及び第二デジタル画像信号を処理して、前記第一領域資料画像及び第二領域資料画像を生成することを特徴とする前記請求項１記載の文書スキャニングシステム。
【請求項５】
第一資料画像圧縮タイミングで前記第一画像処理プロセッサにより生成される前記第一領域資料画像を圧縮して、第一領域圧縮資料画像を生成する第一資料画像圧縮ユニットと、
第二資料画像圧縮タイミングで前記第二画像処理プロセッサにより生成される前記第二領域資料画像を圧縮して、第二領域圧縮資料画像を生成する第二資料画像圧縮ユニットとをさらに含むことを特徴とする前記請求項１記載の文書スキャニングシステム。
【請求項６】
前記同期化制御機構は、前記第一資料画像圧縮ユニット及び第二資料画像圧縮ユニットを接続し、第一資料画像圧縮タイミング及び第二資料画像圧縮タイミングを同期化するように、制御することを特徴とする前記請求項５記載の文書スキャニングシステム。
【請求項７】
前記画像バッファーは、前記第一領域圧縮資料画像及び前記第二領域圧縮資料画像を保存することを特徴とする前記請求項５記載の文書スキャニングシステム。
【請求項８】
前記同期化制御機構は、前記第一画像処理プロセッサ、第二画像処理プロセッサ、アナログフロントエンドタイミング制御器、モーター制御器及びメイン画像センサタイミング発生器を接続することを特徴する前記請求項１記載の文書スキャニングシステム。
【請求項９】
前記同期化制御機構は、一つ統合した同期化制御ユニットであることを特徴する前記請求項１記載の文書スキャニングシステム。
【請求項１０】
前記第一画像処理プロセッサと、第二画像処理プロセッサと、メイン画像センサタイミング発生器と、アナログフロントエンドタイミング制御器と、モーター制御器と、同期化制御機構とは統合された文書スキャニングコントローラであることを特徴する前記請求項１記載の文書スキャニングシステム。
【請求項１１】
スキャニング機構を駆動するモーターと、前記モーターに対するモーター駆動タイミングで前記モーターを駆動するモータードライバとをさらに含むことを特徴とする前記請求項１記載の文書スキャニングシステム。
【請求項１２】
文書スキャナー内に設けられ、スキャニングされる文書の表面からなる第一領域及び当該文書の裏面からなる第二領域を有する文書の両面をスキャンするために用いられる文書スキャニングシステムにおける文書スキャニング制御方法であって、
第一画像センサを利用して、第一画像センサタイミングで前記第一領域をスキャンすることによって、第一アナログ画像信号を取得する同時に、第二画像センサを利用して、前記第一画像センサタイミングに同期化される第二画像センサタイミングで前記第二領域をスキャンすることによって、第二アナログ画像信号を取得するステップと、
第一アナログフロントエンドユニットを利用して、第一アナログフロントエンドタイミングで前記第一アナログ画像信号を第一デジタル画像信号に変換して出力する同時に、第二アナログフロントエンドユニットを利用して、前記第一アナログフロントエンドタイミングに同期化される第二アナログフロントエンドタイミングで前記第二アナログ画像信号を第二デジタル画像信号に変換して出力するステップと、
第一画像処理プロセッサを利用して、第一画像処理タイミングで前記第一デジタル画像信号を処理して、第一領域資料画像を生成する同時に、第二画像処理プロセッサを利用して、前記第一画像処理タイミングに同期化される第二画像処理タイミングで前記第二デジタル画像信号を処理して、第二領域資料画像を生成するステップとを含むことを特徴とする文書スキャニング制御方法。
【請求項１３】
前記第一画像処理プロセッサ及び第二画像処理プロセッサは、マルチパイプラインアーキテクチャに構成され、並列に第一デジタル画像信号及び第二デジタル画像信号を処理して、前記第一領域資料画像及び第二領域資料画像を生成することを特徴とする前記請求項１２記載の文書スキャニング制御方法。
【請求項１４】
同期化制御機構で前記各タイミングを同期化するステップとを含むこと特徴とする前記請求項１２記載の文書スキャニング制御方法。
【請求項１５】
第一資料画像圧縮タイミングで前記前記第一領域資料画像を圧縮して、第一領域圧縮資料画像を生成するステップと、第二資料画像圧縮タイミングで前記第二領域資料画像を圧縮して、第二領域圧縮資料画像を生成するステップとをさらに含むこと特徴とする前記請求項１２記載の文書スキャニング制御方法。
【請求項１６】
前記第一資料画像圧縮タイミング及び第二資料画像圧縮タイミングを同期化するように、制御するステップとをさらに含むこと特徴とする前記請求項１５記載の文書スキャニング制御方法。
【請求項１７】
画像バッファーに前記第一領域圧縮資料画像及び第二領域圧縮資料画像を保存するステップとをさらに含むこと特徴とする前記請求項１５載の文書スキャニング制御方法。
【請求項１８】
各モーターを駆動することに必要な各モーター駆動タイミングを同期化するように、制御するステップとをさらに含むこと特徴とする前記請求項１４記載の文書スキャニング制御方法。
【請求項１９】
前記各タイミングを同期化することによって、前記第一領域及び第二領域をスキャンする第一スキャニング時間と、前記第一領域のみをスキャンする第二スキャニング時間と、前記第二領域のみをスキャンする第三スキャニング時間とは同等であること特徴とする前記請求項１４記載の文書スキャニング制御方法。
【手続補正２】
【補正対象書類名】明細書
【補正対象項目名】全文
【補正方法】変更
【補正の内容】
【発明の詳細な説明】
【技術分野】
【０００１】
本発明は文書スキャニングシステム及び文書スキャニング制御方法に関し、特に選択的に片面スキャニングまたは両面スキャニングを実施できる文書スキャニングシステム及び文書スキャニング制御方法に関する。
【背景技術】
【０００２】
現在、普通の資料スキャナーは二種類、すなわち片面スキャニング（simplex  scanning）アーキテクチャまたは両面スキャニング（duplex  scanning）アーキテクチャである。図１Ａに示すように、片面スキャニングアーキテクチャを有する資料画像センサスキャナ１（以下、資料スキャナ１という）である。メインに単一の電荷結合素子（Charge  Couple
Device, CCD）または接触画像センサー（Contact  Image Sensor, CIS）等の画像センサ２、単一のアナログフロントエンドユニット（Analog
Front End, AFE）４及び単一の画像処理プロセッサ１０を含むスキャニングコントローラ６を利用して、片面の資料をスキャンする。資料スキャナ１が文書をスキャンするプロセス中、CCD/CIS画像センサ２は、文書がスキャニングされた結果、アナログ画像信号（Analog
video signal）を取得する。アナログフロントエンドユニット４は、前記CCD/CIS画像センサ２から生成されるアナログ画像信号をデジタル画像信号に変換して、スキャニングコントローラ６に提供して処理する。しかしながら、このような資料スキャナ１のスキャニングコントローラ６は単一の画像処理プロセッサ１０のみを含むので、両面スキャニングに応用される場合に、二つスキャニングコントローラ６が必要になって、両面スキャニングが可能になる。なお、多くの資料スキャナ１のスキャニングコントローラ６は、さらに資料圧縮ユニット１２と、CCD/CISタイミング発生器１４を含んで、画像処理プロセッサ１０を協力する。画像処理プロセッサ１０は、処理された画像資料を圧縮（compression）して、圧縮された画像資料を画像バッファー８に保存する。CCD/CISタイミング発生器１４は、前記CCD/CIS画像センサ２が必要な操作タイミングを生成して制御する。
【０００３】
次に図２Ａに示すように、両面スキャニングアーキテクチャを有する資料画像センサスキャナ２０（以下、資料スキャナ２０という）であり、メインに第一、第二CCD/CIS画像センサ２２、２６、第一、第アナログフロントエンドユニット２４，２８及び両面の資料をスキャンする単一の画像処理プロセッサ３２を含むスキャニングコントローラ２９を利用する。第一、第アナログフロントエンドユニット２４，２８は、第一、第二CCD/CIS画像センサ２２、２６により取得されたアナログ画像信号をデジタル画像信号変換して出力する。スキャニングコントローラ２９は単一の画像処理プロセッサ３２のみを含むので、第一、第アナログフロントエンドユニット２４，２８から出力される二つデジタル画像信号を画像処理プロセッサ３２に転送される二対一のマルチプレクサ３０が必要である。他の適用例中、マルチプレクサ３０は画像処理プロセッサ３２内に設けられて、適当な時間で並列処理してもよい。且つ、第一、第二CCD/CIS画像センサ２２、２６の操作タイミングは、CCD/CIS画像センサタイミング発生器が生成して制御することで、両面スキャニングが可能になる（図２Ａに示す）。他のエレメント，例え資料圧縮ユニット３４及び画像バッファー３６は、図１Ａに示す資料スキャナ１のものと似るので、ここで重複の説明を省略する。
【０００４】
しかしながら、同一解像度で同一文書を両面スキャンする場合に、このような資料スキャナ２０は、上表面（Top side）と下表面（bottom side）を交互にスキャニングしなければいけないので、両面スキャニングの時間は、図１Ａに示す資料スキャナ１が片面（上表面または下表面）をスキャンする時間の二倍であり、または資料スキャナ１が順次的に両面をスキャンする時間である。例えば、図１Ｂに示す片面スキャニングアーキテクチャを有する資料スキャナ１の両面スキャニングタイミング図のように、上表面が解像度600dpiのスキャニング時間はT1であり、下表面が解像度600dpi（dot
per inch：ドット密度の単位であり、1インチ（25.4mm）の幅の中にどれだけのドットを表現できるかを示す。dpiで表したドット密度の数値を、単にdpiと呼ぶ。）のスキャニング時間はT2である。図２Ｂに示す両面スキャニングアーキテクチャを有する資料スキャナ２０の両面スキャニングタイミング図のように、両面も解像度600dpiのスキャニング時間はT3である。T3=T1+T2である。従来技術の資料スキャナ２０によって、両面スキャンする場合に、スキャニング時間は長いし、操作はとても不便だった。
【発明の概要】
【発明が解決しようとする課題】
【０００５】
本発明は前述の従来の問題を解決するため、両面スキャニングの速度を上げて、両面スキャニングの時間と、片面スキャニングの時間とを約同等にする文書スキャニングシステム及び文書スキャニング制御方法を提供することを課題とする。
また、本発明は統合した二重画像処理プロセッサを用いる文書スキャニングシステム及び文書スキャニング制御方法を提供し、効率を上げることを課題とする。
【課題を解決するための手段】
【０００６】
そこで、本発明者は従来の技術に見られる欠点に鑑みて鋭意研究を重ねた結果、下記の装置によって、本発明の課題が解決される点に着眼し、かかる知見に基づき本発明を完成させた。
【０００７】
以下、本発明について具体的に説明する。
本発明の目的は、文書スキャニングシステム、文書スキャナーを提供することである。前記文書スキャニングシステムは、文書スキャナーに設けられて、同時に文書の第一領域及び第二領域をスキャンすることができる。前記文書スキャニングシステムは、第一画像センサと、第一アナログフロントエンドタイミングと、第二画像センサと、第二アナログフロントエンドタイミングと、スキャニングコントローラ及び画像バッファーを含む。第一画像センサは、第一画像センサタイミングで前記文書の第一領域をスキャンすることで、第一アナログ画像信号を取得する。第二画像センサは、第二画像センサタイミングで前記文書の第二領域をスキャンすることで、第二アナログ画像信号を取得する。第一アナログフロントエンドユニットは、第一アナログフロントエンドタイミングで前記第一アナログ画像信号を第一デジタル画像信号に変換して出力する。第二アナログフロントエンドユニットは、第二アナログフロントエンドタイミングで前記第二アナログ画像信号を第二デジタル画像信号に変換して出力する。
【０００８】
前記スキャニングコントローラは、第一画像処理プロセッサと、第二画像処理プロセッサと、メイン画像センサタイミング発生器と、アナログフロントエンドタイミング制御器と、少なくとも一つモーター制御器と、同期化制御機構と、第一資料圧縮ユニット（第一資料画像圧縮ユニットともいう）と、第二資料圧縮ユニット（第二資料画像圧縮ユニットもいう）とを統合した。前記第一画像処理プロセッサは、第一画像処理タイミングで前記第一アナログフロントエンドユニットから出力される第一デジタル画像信号を処理して、第一領域資料（第一領域資料画像ともいう）を生成する。前記第二画像処理プロセッサは、第二画像処理タイミングで前記第二アナログフロントエンドユニットから出力される第二デジタル画像信号を処理して、第二領域資料（第二領域資料画像ともいう）を生成する。
【０００９】
本発明の第一実施例に基づく、前記メイン画像センサタイミング発生器は、前記第一画像センサと第二画像センサに、第一画像センサタイミングと第二画像センサタイミングをそれぞれ提供する。
【００１０】
本発明の第二実施例に基づく、前記第一アナログフロントエンドユニットと第二アナログフロントエンドユニットにそれぞれ第一画像センサタイミング発生器と第二画像センサタイミング発生器を設けられ、前記第一画像センサと第二画像センサに、第一画像センサタイミングと第二画像センサタイミングをそれぞれ提供する。その場合に、スキャニングコントローラのメイン画像センサタイミング発生器は、スキャニングラインの同期化信号を生成し、前記第一アナログフロントエンドユニットの第一画像センサタイミング発生器と第二アナログフロントエンドユニットの第二画像センサタイミング発生器に提供することによって、間接に前記第一画像センサタイミングと前記第二画像センサタイミングを生成する。他の実施例に、メイン画像センサタイミング発生器は、前記第一、第二アナログフロントエンドユニットの第一、第二画像センサタイミング発生器に操作クロックを提供する。
【００１１】
本発明の各実施例に、前記アナログフロントエンドタイミング制御器は、第一アナログフロントエンドユニットが必要な第一アナログフロントエンドタイミングと第一アナログフロントエンドユニットが必要な第一アナログフロントエンドタイミングをそれぞれ制御する。
【００１２】
前記同期化制御機構は、前記各画像センサタイミング発生器が直接または間接に生成される前記第一画像センサタイミング及び第二画像センサタイミングを同期化するように制御し、前記アナログフロントエンドタイミング制御器の第一アナログフロントエンドタイミング及び第二アナログフロントエンドタイミングを同期化するように制御し、前記第一画像処理プロセッサの第一画像処理タイミング及び前記第二画像処理プロセッサの第二画像処理タイミングを同期化するように制御する。前記同期化制御機構で各タイミングを同期化するようの制御と二重画像処理プロセッサによって、本発明で両面スキャニングの時間と、片面スキャニングの時間とを約同等にする。前記同期化制御機構は、一つ統合した同期化制御ユニットであっても好ましく、各ユニットにそれぞれ設置されても好ましい。
【００１３】
本発明の第三実施例に基づく、前記同期化制御機構は、前記メイン画像センサタイミング発生器が生成される前記第一画像センサタイミング及び第二画像センサタイミングを一つ固定のオフセット値を保持するように制御し、前記アナログフロントエンドタイミング制御器の第一アナログフロントエンドタイミング及び第二アナログフロントエンドタイミングを一つ固定のオフセット値を保持するように制御し、前記第一画像処理プロセッサの第一画像処理タイミング及び前記第二画像処理プロセッサの第二画像処理タイミングを一つ固定のオフセット値を保持するように制御する。前記各固定のオフセット値は一致して、且つ本発明によって、両面スキャニングの時間と、片面スキャニングの時間とを約同等にする。
【００１４】
なお、本発明はまた、文書スキャナーに適用され、第一領域及び第二領域を含む文書をスキャンするために用いられる文書スキャニング制御方法を提供する。文書スキャニング制御方法は、下記のステップとを含む：
同期化制御機構で各タイミングを制御するステップと、
第一画像センサを利用して、第一画像センサタイミングで前記文書の第一領域をスキャンすることによって、第一アナログ画像信号を取得する同時に、第二画像センサを利用して、第二画像センサタイミングで前記文書の第二領域をスキャンすることによって、第二アナログ画像信号を取得し、前記第一画像センサタイミングと第二画像センサタイミングは同期化され、または一つ固定のオフセット値を保持する文書のステップと、
第一アナログフロントエンドユニットを利用して、第一アナログフロントエンドタイミングで前記第一アナログ画像信号を第一デジタル画像信号に変換して出力する同時に、第二アナログフロントエンドユニットを利用して、第二アナログフロントエンドタイミングで前記第二アナログ画像信号を第二デジタル画像信号に変換して出力し、前記第一アナログフロントエンドタイミングと第二アナログフロントエンドタイミングは同期化され、または一つ固定のオフセット値を保持するステップと、
第一画像処理プロセッサを利用して、第一画像処理タイミングで前記第一デジタル画像信号を処理して、第一領域資料を生成する同時に、第二画像処理プロセッサを利用して、第二画像処理タイミングで前記第二デジタル画像信号を処理して、第二領域資料を生成し、前記第一画像処理タイミングと第二画像処理タイミングは同期化され、または一つ固定のオフセット値を保持するステップとを含む。
【発明の効果】
【００１５】
本発明により、同時に前記第一領域及び第二領域をスキャンするスキャニング時間と、第一領域のみまたは第二領域のみをスキャンするスキャニング時間とを約同等にすることができる。
【図面の簡単な説明】
【００１６】
【図１Ａ】従来技術の片面スキャング構成を有する文書スキャナーの簡単構成図である。
【図１Ｂ】図１Ａに示す従来技術の文書スキャナーが二回片面スキャングを実施するタイミング図である。
【図２Ａ】従来技術の両面スキャング構成を有する文書スキャナーの簡単構成図である。
【図２Ｂ】図２Ａに示す従来技術の文書スキャナーが一回両面スキャングを実施するタイミング図である。
【図３Ａ】本発明の第一実施例による文書スキャニングシステムの簡単構成図である。
【図３Ｂ】本発明の第二実施例による文書スキャニングシステムの簡単構成図である。
【図４】図３Ａ、図３Ｂに示す本発明の文書スキャナーが一回両面スキャングを実施するタイミング図である。
【図５】本発明の文書スキャニング制御方法のフローチャートである。
【発明を実施するための形態】
【００１７】
本発明前記の目的をもっと容易に分かるように、好もしい実施例を挙げて、下記のように図面と配合して具体的に説明する。
図３Ａは、本発明の第一実施例による文書スキャニングシステム６０を示す。文書スキャニングシステム６０は、文書スキャナーに設けられ、同時に文書の上表面と下表面（第一領域と第二領域）、または文書の片面をスキャンすることができる。前記文書スキャナーのスキャニング機構８８は、スキャニング機構８８を駆動されるために用いられるモーター９０に接続される。モータードライバ９２は、モーター駆動のタイミングでモーター９０を駆動させる。なお、スキャニング機構８８が複数設けられている場合、スキャニング機構８８の数に応じて、モーター９０、モータードライバ９２も複数設けられている。
【００１８】
文書スキャニングシステム６０は、第一画像センサ６２、第一アナログフロントエンドユニット６４、第二画像センサ６６、第二アナログフロントエンドユニット６８、スキャニングコントローラ７０及び画像バッファー８６を含む。第一画像センサ６２と第二画像センサ６６は、電荷結合素子（Charge  Couple Device, CCD）または接触画像センサー（Contact  Image Sensor, CIS）である。なお、第一画像センサ６２は、第一画像センサタイミングで文書の上表面を光学スキャンすることで、第一アナログ画像信号を取得する。第二画像センサ６６は、第二画像センサタイミングで文書の下表面を光学スキャンすることで、第二アナログ画像信号を取得する。
【００１９】
第一アナログフロントエンドユニット（Analog Front End, AFE）６４は、第一画像センサ６２に接続され、第一アナログフロントエンドタイミングで第一アナログ画像信号を第一デジタル画像信号に変換して出力する。第二アナログフロントエンドユニット（Analog
Front End, AFE）６８は、第二画像センサ６６を接続し、第二アナログフロントエンドタイミングで第二アナログ画像信号を第二デジタル画像信号に変換して出力する。
【００２０】
本発明の第一実施例に、文書スキャニングコントローラ７０は第一画像処理プロセッサ７２と、第二画像処理プロセッサ７４と、メイン画像センサタイミング発生器７６と、アナログフロントエンドタイミング制御器７７と、少なくとも一つのモーター制御器７８と、同期化制御機構８０を統合した制御チップである。同期化制御機構８０は、一つ統合した同期化制御ユニットであってもよい、または前記各ユニットにそれぞれ設置されてもよい。
【００２１】
第一画像処理プロセッサ７２は、前記第一アナログフロントエンドユニット６４を接続し、特に第一画像処理タイミングで前記第一アナログフロントエンドユニット６４の第一デジタル画像信号を処理して、第一領域資料を生成する。第二画像処理プロセッサ７４は、前記第二アナログフロントエンドユニット６８を接続し、特に第二画像処理タイミングで前記第二アナログフロントエンドユニット６８の第二デジタル画像信号を処理して、第二領域資料を生成する。第一画像処理プロセッサ７２と第二画像処理プロセッサ７４は、画像処理の二重処理プロセッサ（処理エンジン）であり、且つマルチパイプラインアーキテクチャに構成され、並列に第一デジタル画像信号及び第二デジタル画像信号を処理して、前記第一領域資料及び第二領域資料生成する。しかしながら、本発明は、前記マルチパイプラインアーキテクチャ構成に限制されない。他のアーキテクチャによる並列処理でもよい。前記第一画像処理タイミングと第二画像処理タイミングは、同様なタイミング信号により提供されてもよいし、または異なるタイミング信号により提供されてもよい。
【００２２】
本実施例の文書スキャニングコントローラ７０中、第一資料圧縮ユニット８２は、第一画像処理プロセッサ７２を接続し、第一資料圧縮タイミング（第一資料画像圧縮タイミングともいう）で第一画像処理プロセッサ７２の第一領域資料を圧縮して、第一領域圧縮資料（第一領域圧縮資料画像ともいう）を生成する。第二資料圧縮ユニット８４の輸入端は、第二画像処理プロセッサ７４を接続し、第二資料圧縮タイミング（第二資料画像圧縮タイミングともいう）で第一画像処理プロセッサ７２の第二領域資料を圧縮して、第二領域圧縮資料（第二領域圧縮資料画像ともいう）を生成する。また、第一資料圧縮ユニット８２と第二資料圧縮ユニット８４から出力される第一領域圧縮資料と第二領域圧縮資料が画像バッファー８６に保存される。しかしながら、他の実施例中、文書スキャニングコントローラ７０は第一、第二資料圧縮ユニット８２、８４を有しなくて、第一、第二画像処理プロセッサ７２、７４が直接に第一、第二領域圧縮資料を画像バッファー８６に保存することもよい、また、画像バッファー８６は文書スキャニングコントローラ７０に設けられてもよい。
【００２３】
メイン画像センサタイミング発生器７６は、第一画像センサ６２と第二画像センサ６６にそれぞれ接続され、第一画像センサタイミングを第一画像センサ６２に提供するとともに、第二画像センサタイミングを前記第二画像センサ６６に提供する。前記第一画像センサタイミングと第二画像センサタイミングは、同様なタイミング信号により提供されてもよいし、または異なるタイミング信号により提供されてもよい。アナログフロントエンドタイミング制御器７７は、第一アナログフロントエンドユニット６４と第二アナログフロントエンドユニット６８にそれぞれ接続され、第一アナログフロントエンドユニット６４が必要な第一アナログフロントエンドタイミング及び第二アナログフロントエンドユニット６８が必要な第二アナログフロントエンドタイミングをそれぞれ提供して制御する。前記第一アナログフロントエンドタイミングと第二アナログフロントエンドタイミングは、同様なタイミング信号により提供されてもよいし、または異なるタイミング信号により提供されてもよい。少なくとも一つのモーター制御器７８は、各モータードライバ９２に応じてモーター駆動タイミングを提供する。なお本実施例中、各種類のタイミングは、タイミング信号として操作クロックまたは固定周期の信号により提供される。
【００２４】
本実施例中、同期化制御機構８０は、メイン画像センサタイミング発生器７６を接続し、メイン画像センサタイミング発生器７６から出力される第一画像センサタイミング及び第二画像センサタイミングを同期化（sychronization）するように制御する。なお、同期化制御機構８０は、第一画像処理プロセッサ７２と第二画像処理プロセッサ７４を接続し、第一画像処理プロセッサ７２の第一画像処理タイミング及び第二画像処理プロセッサ７４の第二画像処理タイミングを同期化するように制御する。なお、同期化制御機構８０は、第一資料圧縮ユニット８２と第二資料圧縮ユニット８４を接続し、第一資料圧縮タイミング及び第二資料圧縮タイミングを同期化する。なお、同期化制御機構８０は、モーター制御器７８を接続し、モーター制御器７８の各モーター駆動タイミングを同期化することもよって、一又は複数のモーター９０の駆動を同期化する。
【００２５】
図４に示す各スキャニングタイミングのように、本発明の同期化制御機構８０（例えば同期化制御ユニット）による各タイミングを同期化する制御と二重画像処理プロセッサ７２，７４によって、本発明の文書スキャニングシステム６０の第一画像センサ６２と第二画像センサ６６が同時に文書の両面をスキャンする第一スキャニング時間Ｔｄは、第一画像センサが文書の上表面のみをスキャンする第二スキャニング時間Ｔｔまたは第二画像センサが文書の下表面のみをスキャンする第三スキャニング時間Ｔｂを約同等にする。すなわちＴｄ≒Ｔｔ≒Ｔｂ。他の実施例中、第一画像センサ６２と第二画像センサ６６は、文書の上、下表面をスキャンする時、両者の位置は違う場合に、ＴｄはＴｔまたはＴｂより大きくなる。
【００２６】
また、図３Ｂに示す本発明の第二実施例において、前述第一実施例と違うところは、第二実施例の文書スキャニングシステム６０の第一アナログフロントエンドユニット６４には、第一画像センサタイミング発生器６４２が設けられ、第一画像センサ６２に第一画像センサタイミングを提供し、第二アナログフロントエンドユニット６８には、第二画像センサタイミング発生器６８２が設けられ、第二画像センサ６６に第二画像センサタイミングを提供する。且つ、文書スキャニングコントローラ７０内のメイン画像センサタイミング発生器７６は前記第一、第二アナログフロントエンドユニット６４、６８に同期化信号のみを提供する。この同期化信号基づいて、第一画像センサタイミング発生器６４２は、第一画像センサタイミングを生成して第一画像センサ６２に提供する。第二画像センサタイミング発生器６８２は、第二画像センサタイミングを生成して第二画像センサ６６に提供する。間接に前記第一、第二アナログフロントエンドユニット６４、６８の第一、第二アナログフロントエンドタイミングを同期化する。他の適用例中、メイン画像センサタイミング発生器７６は、第一、第二アナログフロントエンドユニット６４、６８内の第一、第二画像センサタイミング発生器６４２、６８２に操作クロックを提供する。第二実施例の他のユニットは、第一実施例と同様なので、ここで重複の説明を省略する。
【００２７】
本発明の第三実施例において、前述第一実施例と違うところは、同期化制御機構８０は、各画像センサタイミング発生器７６（または６４２、６８２）から出力される第一画像センサタイミング及び第二画像センサタイミングを周波数が違い、且つ一つ固定のオフセット値（第一画像センサタイミングと第二画像センサタイミングとの間のオフセット値）を保持するように制御し、アナログフロントエンドタイミング制御器７７から出力される第一アナログフロントエンドタイミング及び第二アナログフロントエンドタイミングを周波数が違い、且つ一つ固定のオフセット値（第一アナログフロントエンドタイミングと第二アナログフロントエンドタイミングとの間のオフセット値）を保持するように制御し、第一画像処理タイミング及び第二画像処理タイミングを周波数が違い、且つ一つ固定のオフセット値（第一画像処理タイミングと第二画像処理タイミングとの間のオフセット値）を保持するように制御する。前記固定のオフセット値は約少なくとも一つスキャニングラインである。なお、同期化制御機構８０は、各モーター駆動タイミングを周波数が違い、且つ各モーター駆動タイミングの間に固定のオフセット値を保持するように制御し、モーター制御器７８の各モーター駆動タイミングを同期化することによって、一又は複数のモーター９０の駆動を同期化する。特に説明が必要なことでは、前記各固定のオフセット値は一致することができる。本発明の第三実施例によって、図４に示す各スキャニングタイミングを達成することもできる。すなわち、第一画像センサ６２と第二画像センサ６６が同時に文書の両面をスキャンする第一スキャニング時間Ｔｄは、第一画像センサが文書の上表面のみをスキャンする第二スキャニング時間Ｔｔまたは第二画像センサが文書の下表面のみをスキャンする第三スキャニング時間Ｔｂを約同等にする。すなわちＴｄ≒Ｔｔ≒Ｔｂ。他の実施例中、第一画像センサ６２と第二画像センサ６６は、文書の上、下表面をスキャンする時、両者の位置は違う場合に、ＴｄはＴｔまたはＴｂより大きくなる。
【００２８】
図５は本発明の文書スキャニング制御方法のフローチャートを示す。図３Ａと図３Ｂの文書スキャニングシステムの各ユニットを一緒に参照する。この方法は、文書スキャナーに適用され、一ページが第一領域及び第二領域を含む文書をスキャンするために用いられる。
【００２９】
ステップ７６０：文書スキャニングを起動する。
【００３０】
ステップ７６５：同期化制御機構で各タイミングを制御する。このステップはさらに下記のステップを含む。
（１）ステップ７７０：同期化制御機構で一又は複数のモーター制御器に応じたモーターを駆動する必要な各モーター駆動タイミングを制御する。
（２）ステップ７７２：同期化制御機構で第一画像センサタイミング及び第二画像センサタイミングを制御する。
（３）ステップ７７４：第一アナログフロントエンドタイミング及び第二アナログフロントエンドタイミングを制御する。
（４）ステップ７７６：第一画像処理タイミング及び第二画像処理タイミングを制御する。
（５）ステップ７７８：第一資料圧縮タイミング及び第二資料圧縮タイミングを制御する。
【００３１】
ステップ７８０：一又は複数のモーター制御器のモーター駆動タイミングで応じるモーターを駆動する。同期化制御機構で一又は複数のモーター駆動タイミングを同期化するように、または前記各モーター駆動タイミングの間に一又は複数のスキャニングラインの時間である固定のオフセット値を保持するように制御する。
ステップ８００：第一画像センサを利用して、第一画像センサタイミングで第一領域をスキャンすることによって、第一アナログ画像信号を取得する同時に、ステップ８０２：第二画像センサを利用して、第二画像センサタイミングで前記第二領域をスキャンすることによって、第二アナログ画像信号を取得し、第一画像センサタイミング及び第二画像センサタイミングは同期化され、または一又は複数のスキャニングラインの時間である一つ固定のオフセット値が保持される。
【００３２】
ステップ８０６：第一アナログフロントエンドユニットを利用して、第一アナログフロントエンドタイミングで第一アナログ画像信号を第一デジタル画像信号に変換して出力する同時に、ステップ８０８：第二アナログフロントエンドユニットを利用して、第二アナログフロントエンドタイミングで第二アナログ画像信号を第二デジタル画像信号に変換して出力し、第一アナログフロントエンドタイミング及び第二アナログフロントエンドタイミングは同期化され、または一又は複数のスキャニングラインの時間である一つ固定のオフセット値が保持される。
【００３３】
ステップ８１２：第一画像処理プロセッサを利用して、第一画像処理タイミングで前記第一デジタル画像信号を処理して、第一領域資料を生成する同時に、ステップ８１４：第二画像処理プロセッサを利用して、第二画像処理タイミングで前記第二デジタル画像信号を処理して、第二領域資料を生成し、第一画像処理タイミング及び第二画像処理タイミングは同期化され、または一又は複数の一つスキャニングラインの時間である一つ固定のオフセット値が保持される。
【００３４】
ステップ８１８：第一資料圧縮ユニットを利用して、第一資料圧縮タイミングで第一領域資料を圧縮して、第一領域圧縮資料を生成する同時に、ステップ８２０：第二資料圧縮ユニットを利用して、第二資料圧縮タイミングで第二領域資料を圧縮して、第二領域圧縮資料を生成し、第一資料圧縮タイミング及び第二資料圧縮タイミングは同期化され、または一又は複数のスキャニングラインの時間である一つ固定のオフセット値が保持される。
【００３５】
ステップ８２４：第一領域圧縮資料と第二領域圧縮資料が画像バッファーに保存される。
【００３６】
ステップ８２６：（図４に示すように）第一画像センサと第二画像センサが同時に文書の両面をスキャンする第一スキャニング時間Ｔｄは、第一画像センサが文書の上表面のみをスキャンする第二スキャニング時間Ｔｔまたは第二画像センサが文書の下表面のみをスキャンする第三スキャニング時間Ｔｂを約同等にする。すなわちＴｄ≒Ｔｔ≒Ｔｂ。他の実施例中、第一画像センサ６２と第二画像センサ６６は、それぞれ文書の一ページの上、下表面をスキャンする時、両者の位置は違う場合に、ＴｄはＴｔまたはＴｂより大きくなる可能性がある。
【００３７】
前述のように、本発明の文書スキャニングシステム及びその制御方法によって、両面スキャニングの速度を上げることができる。なお、システムの操作性がより向上する。両面スキャニングの時間と片面スキャニングの時間とは約同等にする。また、本発明は統合した二重画像処理プロセッサを用いるため、コスト効率を上げることができる。
【００３８】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【符号の説明】
【００３９】
６０    文書スキャニングシステム
６２    第一画像センサ
６４    第一アナログフロントエンドユニット
６６    第二画像センサ
６８    第二アナログフロントエンドユニット
７０    スキャニングコントローラ
７２    第一画像処理プロセッサ
７４    第二画像処理プロセッサ
７６    メイン画像センサタイミング発生器
７７    アナログフロントエンドタイミング制御器
７８    モーター制御器
８０    同期化制御機構
８２    第一資料圧縮ユニット
８４    第二資料圧縮ユニット
８６    画像バッファー
８８    スキャニング機構
９０    モーター
９２    モータードライバ
６４２  第一画像センサタイミング発生器
６４８  第二画像センサタイミング発生器
Ｔｄ      両面スキャニング時間
Ｔｔ    上表面スキャニング時間
Ｔｂ    下表面スキャニング時間
【手続補正３】
【補正対象書類名】図面
【補正対象項目名】図１Ｂ
【補正方法】変更
【補正の内容】
【図１Ｂ】
2010161758.tif 000011
【手続補正４】
【補正対象書類名】図面
【補正対象項目名】図２Ｂ
【補正方法】変更
【補正の内容】
【図２Ｂ】
2010161758.tif 000012
【手続補正５】
【補正対象書類名】図面
【補正対象項目名】図３Ａ
【補正方法】変更
【補正の内容】
【図３Ａ】
2010161758.tif 000013
【手続補正６】
【補正対象書類名】図面
【補正対象項目名】図５
【補正方法】変更
【補正の内容】
【図５】
2010161758.tif 000014